(57)【特許請求の範囲】
【請求項１】
挿入口を有する継手本体と、
前記継手本体内に収容される弾性変形可能なシール材と、
前記挿入口を介して前記継手本体に挿入される押輪とを備え、
前記押輪の中を通り抜けるフレキシブル管が前記挿入口から前記継手本体内に挿入され、
前記フレキシブル管の外周部には、円周方向全周に延びる山部と谷部とが管軸方向へ交互に並設されており、
前記フレキシブル管の外周には被覆層が設けられており、
前記フレキシブル管の先端部分が露出しており、
前記シール材には、中央に管挿入孔が形成されており、
前記管挿入孔に前記フレキシブル管が挿入され、
前記シール材が、前記継手本体内で、前記フレキシブル管の外周面と前記継手本体の内周面との間をシールするフレキシブル管用継手であって、
前記押輪が、
前記フレキシブル管の先端部分が貫通し、かつ、前記被覆層が進入する被覆層進入部と、
前記継手本体に前記押輪が挿入されたとき前記被覆層進入部よりも前記継手本体側に配置される本体連通部とを有しており、
前記本体連通部のうち前記被覆層進入部との境界部分には、前記フレキシブル管が通り抜ける、前記被覆層の外径よりも小さく前記フレキシブル管の山部の外径よりも大きな直径の円形開口が設けられており、
前記継手本体の内周面とこの内周面の位置に対向する前記押輪の外周面とには凹み部を設け、
これら両凹み部に嵌まる径方向に拡縮可能な係合部材が前記両凹み部のうちいずれか一方に嵌められ、
前記フレキシブル管用継手が誤動作防止カラーをさらに備え、
前記誤動作防止カラーが、前記押輪のうち、前記係合部材の外周が前記両凹み部のうち他方に嵌め込まれる前には前記継手本体から露出し、かつ、前記係合部材の外周が前記両凹み部のうち他方に嵌め込まれているときには前記挿入口の中に配置される部分に嵌め込まれることを特徴とする、フレキシブル管用継手。
【請求項２】
前記本体連通部が、前記被覆層進入部との境界部分に配置され、前記被覆層の先端が突き当たる突き当て部を有することを特徴とする、請求項１に記載のフレキシブル管用継手。
【発明の詳細な説明】
【技術分野】
【０００１】
本発明は、フレキシブル管用継手に関し、特に、先端部分の断面形状が変形したフレキシブル管が接続されることをある程度防止できる、フレキシブル管用継手に関する。
【背景技術】
【０００２】
特許文献１は、図７に示すようなフレキシブル管用継手を開示する。このフレキシブル管用継手は、継手本体２５０と、リテーナ部材２５２と、押輪２５４と、防水パッキン２５６とを備える。
【０００３】
継手本体２５０には、フレキシブル管３００が挿入される。フレキシブル管３００は、外周部に円周方向全周に延びる山部３１０と谷部３１２とを管軸方向へ交互に並設し、それらの外周を塩化ビニールなどの被覆層３１４で被覆したものである。
【０００４】
リテーナ部材２５２は、継手本体２５０の中に配置される。リテーナ部材２５２は、後方突起２５２ａを有する。後方突起２５２ａは、フレキシブル管３００の外面の谷部３１２に差し込まれる。
【０００５】
押輪２５４は、リテーナ部材２５２の後方突起２５２ａをフレキシブル管３００の外面の谷部３１２に差し込んだ状態で固定する。また、押輪２５４は、継手本体２５０内で軸方向にスライドする。したがって、押輪２５４は、リテーナ部材２５２の後方突起２５２ａがフレキシブル管３００の谷部３１２へ嵌まり込まない位置と、リテーナ部材２５２の後方突起２５２ａがフレキシブル管３００の谷部３１２へ嵌まり込んだ状態を保持する位置との間で変位可能である。
【０００６】
防水パッキン２５６は、フレキシブル管３００と継手本体２５０との間をシールする。
【０００７】
さらに、図７に示すフレキシブル管用継手には、ロック機構が設けられている。このロック機構は、次に述べる状態で押輪２５４をロックする。その状態とは、後方突起２５２ａが谷部３１２へ嵌まり込んだ状態である。このロック機構は、スナップリング２５８と、第１溝２６０と、第２溝２６２と、第３溝２６４とによって構成される。
【０００８】
スナップリング２５８は、Ｃ字状の部材である。第１溝２６０は、継手本体２５０に形成されている。第１溝２６０には、スナップリング２５８の外周部が係合する。第２溝２６２も、継手本体２５０に形成されている。第２溝２６２にも、スナップリング２５８の外周部が係合する。第３溝２６４は、押輪２５４の外周面に形成されている。第３溝２６４には、スナップリング２５８の内周部が係合する。スナップリング２５８は、第３溝２６４に内周部が係合したまま、押輪２５４のスライドに応じて第１溝２６０から第２溝２６２へスライドする。
【０００９】
スナップリング２５８の外周部が第１溝２６０に係合しているとき、押輪２５４は、継手本体２５０に半挿入状態に仮止めされている。このときの押輪２５４の位置は、後方突起２５２ａが谷部３１２へ嵌まり込まない位置である。スナップリング２５８の外周部が第２溝２６２に係合するとき、押輪２５４はロックされる。このとき、後方突起２５２ａは、谷部３１２へ嵌まり込んだ状態に保持される。押輪２５４の押し込み量は、上述した第１溝２６０と第２溝２６２との間の距離にほぼ等しくなるように設定されている。
【００１０】
このフレキシブル管用継手によれば、押輪２５４を押込むと、良好なシール性を維持した状態でフレキシブル管３００の接続を行うことができる。
【００１１】
また、図７に示すフレキシブル管用継手は、分解用リング部材２８０を備えている。継手本体２５０には、拡張段部２７０が設けられている。フレキシブル管３００を接続した後、いったんそれを取り外す必要が生じたときには、分解用リング部材２８０が取り除され、押輪２５４がさらに押し込まれる。押輪２５４がさらに押し込まれることで、第２溝２６２に嵌まっていたスナップリング２５８も、拡張段部２７０に押し込まれる。第２溝２６２に嵌っている間、スナップリング２５８の直径は弾性変形によって小さくなっているので、拡張段部２７０に押し込まれたスナップリング２５８の直径は拡がる。直径が拡がるため、スナップリング２５８が拡張段部２７０に押し込まれると、押輪２５４のロックは解除される。
【００１２】
このフレキシブル管用継手によれば、継手本体２５０に押輪２５４がロックされた状態を解除できる。
【先行技術文献】
【特許文献】
【００１３】
【特許文献１】特開２００３−１７６８８８号公報
【発明の概要】
【発明が解決しようとする課題】
【００１４】
本発明の目的とするところは、先端部分の断面形状が変形したフレキシブル管３００が接続されることをある程度防止できるフレキシブル管用継手を提供することにある。
【課題を解決するための手段】
【００１５】
上記目的を達成するために、本発明のある局面に従うと、フレキシブル管用継手１０は、挿入口３０を有する継手本体２０と、シール材２２と、押輪２４とを備える。シール材２２は、弾性変形可能である。シール材２２は、継手本体２０内に収容される。押輪２４は、挿入口３０を介して継手本体２０に挿入される。フレキシブル管３００が挿入口３０から継手本体２０内に挿入される。フレキシブル管３００は、押輪２４の中を通り抜けるものである。フレキシブル管３００の外周部には、円周方向全周に延びる山部３１０と谷部３１２とが管軸方向へ交互に並設されている。フレキシブル管３００の外周には被覆層３１４が設けられている。フレキシブル管３００の先端部分が露出している。シール材２２には、中央に管挿入孔６３が形成されている。管挿入孔６３にフレキシブル管３００が挿入される。シール材２２が、継手本体２０内で、フレキシブル管３００の外周面と継手本体２０の内周面との間をシールする。
【００１６】
押輪２４が、被覆層進入部７９ａと、本体連通部７９ｂとを有している。被覆層進入部７９ａは、フレキシブル管３００の先端部分が貫通し、かつ、被覆層３１４が進入する。本体連通部７９ｂは、継手本体２０に押輪２４が挿入されたとき被覆層進入部７９ａよりも継手本体２０側に配置される。本体連通部７９ｂのうち被覆層進入部７９ａとの境界部分には、フレキシブル管３００が通り抜ける、被覆層３１４の外径よりも小さくフレキシブル管３００の山部３１０の外径よりも大きな直径の円形開口８７が設けられている。継手本体２０の内周面とこの内周面の位置に対向する押輪２４の外周面とには凹み部８４，９４が設けられる。これら両凹み部８４，９４に嵌まる径方向に拡縮可能な係合部材２６が、両凹み部８４，９４のうちいずれか一方に嵌められる。フレキシブル管用継手１０が誤動作防止カラー１１０をさらに備える。誤動作防止カラー１１０が、押輪２４のうち、係合部材２６の外周が両凹み部８４，９４のうち他方に嵌め込まれる前には継手本体２０から露出し、かつ、係合部材２６の外周が両凹み部８４，９４のうち他方に嵌め込まれているときには挿入口３０の中に配置される部分に嵌め込まれる。
【００１７】
被覆層進入部７９ａを、フレキシブル管３００の先端部分が貫通し、かつ、被覆層３１４が進入する。被覆層進入部７９ａに進入したフレキシブル管３００は、本体連通部７９ｂの円形開口８７を通り抜けようとする。このとき、円形開口８７の直径は、被覆層３１４の外径よりも小さくフレキシブル管３００の山部３１０の外径よりも大きい。そのため、断面形状の変形度合いによっては、フレキシブル管３００の先端部分は、その円形開口８７を通り抜けられないことがある。これにより、その円形開口８７を通り抜けられないほどに先端部分の断面形状が変形したフレキシブル管３００がフレキシブル管用継手１０へ接続されることは防止される。その円形開口８７をフレキシブル管３００の先端部分が通り抜けると、フレキシブル管３００の先端部分は被覆層進入部７９ａを貫通して、本体連通部７９ｂに進入し、貫通することとなる。本体連通部７９ｂを貫通し、押輪２４を通り抜けたフレキシブル管３００は、シール材２２の中央に管挿入孔６３に挿入される。これにより、フレキシブル管３００の外周面と継手本体２０の内周面との間は、継手本体１０内で、シール材２２によりシールされることとなる。
【００１８】
また、上述した本体連通部７９ｂが、突き当て部８８を有することが好ましい。突き当て部８８は、被覆層進入部７９ａとの境界部分に配置され、被覆層３１４の先端が突き当てられる。
【発明の効果】
【００１９】
本発明によれば、先端部分の断面形状が変形したフレキシブル管３００が接続されることをある程度防止できる。
【図面の簡単な説明】
【００２０】
【図１】本発明の実施例にかかるフレキシブル管用継手を示す半欠截断面図である。
【図２】（ａ）はシール材の半欠截断面図、（ｂ）はシール材の背面図、（ｃ）はシール材の側面図である。
【図３】突出部材の先端部分の拡大図である。
【図４】押輪の斜視図である。
【図５】露出部分の長さが適切なフレキシブル管が挿入された場合におけるフレキシブル管用継手の動作を示す図である。
【図６】露出部分の長さが不足するフレキシブル管が挿入された場合におけるフレキシブル管用継手の動作を示す図である。
【図７】従来例のフレキシブル管用継手の半欠截断面図である。
【発明を実施するための形態】
【００２１】
以下、図面を参照しつつ、本発明の実施例について説明する。以下の説明では、同一の部品には同一の符号を付してある。それらの名称および機能も同一である。したがって、それらについての詳細な説明は繰返さない。
【００２２】
以下、本発明の実施例を図面に基づき説明する。図１は、本発明の実施例にかかるフレキシブル管用継手１０を、シール材２２押し込み前の状態で示す半欠截断面図である。図２の（ａ）はシール材２２の半欠截断面図である。図２の（ｂ）はシール材２２の背面図である。図２の（ｃ）はシール材２２の側面図である。図３は、妨害部６４の先端部分の拡大図である。図４は押輪２４の斜視図である。図５の（ａ）は、露出部分の長さが適切なフレキシブル管が挿入された場合における、本発明の実施例にかかるフレキシブル管用継手１０を、シール材２２押し込み前の状態で示す半欠截断面図である。図５の（ｂ）は、シール材２２押し込み途中の状態で示す同フレキシブル管用継手１０の半欠截断面図である。図５の（ｃ）は、フレキシブル管３００の差込み完了後の状態で示す同フレキシブル管用継手１０の半欠截断面図である。図６（ａ）は、露出部分の長さが不足するフレキシブル管３００が挿入された場合における、本発明の実施例にかかるフレキシブル管用継手１０を、シール材２２押し込み前の状態で示す半欠截断面図である。図６（ｂ）は、図６（ａ）に示すフレキシブル管用継手１０をシール材２２押し込み途中の状態で示す半欠截断面図である。図６（ｃ）は、図６（ａ）に示すフレキシブル管用継手１０をフレキシブル管３００の差込み完了後の状態で示す半欠截断面図である。
【００２３】
図１に示すように、本実施例に係るフレキシブル管用継手１０は、継手本体２０と、シール材２２と、押輪２４と、スナップリング２６などとを備える。継手本体２０の一端部には、挿入口３０が形成されている。継手本体２０の他端部の外周には、接続用雄ねじ３２が形成されている。挿入口３０は、金属製のフレキシブル管３００の先端部を受け入れる口である。シール材２２は、この継手本体２０の挿入口３０を経て継手本体２０の中に収容される。押輪２４は、この継手本体２０に、押込み代を残す仮挿入状態で接続される。押輪２４は、シール材２２よりも挿入口３０側に配置される。スナップリング２６は、継手本体２０内に収容される。スナップリング２６は、その径方向へ拡縮可能な係合部材である。
【００２４】
図１に示すように、継手本体２０の内部は、挿入口３０を介して継手本体２０の外部に連通している。なお、本発明の説明において、「連通」とは、通路を介して二つの空間を連続状態にすることを意味する。ここでいう「通路」には管状のものだけでなく単なる孔も含まれる。フレキシブル管３００は、押輪２４を通り抜け、かつ、挿入口３０から継手本体２０に挿入される。継手本体２０の内部には、第１収容部４２と、第２収容部４４と、シール材縮径案内部４６と、第３収容部４８とが設けられている。これらの中で最も挿入口３０側にあるのは第１収容部４２である。これらの中で最も内奥側にあるのは第３収容部４８である。第１収容部４２は、挿入口３０の奥に形成され、挿入口３０に連通される。第２収容部４４は、第１収容部４２の奥に形成され、第１収容部４２に連通される。シール材縮径案内部４６は、第２収容部４４の奥に形成される。シール材縮径案内部４６は、第２収容部４４から離れるにつれ窄まる。第３収容部４８は、シール材縮径案内部４６の奥に形成される。第３収容部４８は、フレキシブル管３００の先端部とこの先端部の外周のシール材２２とを収容する。
【００２５】
第１収容部４２は、溝付き部５４と抜止縮径案内部５６とを有する。溝付き部５４は、挿入口３０に連通される。本実施例において、溝付き部５４の断面は、円形である。抜止縮径案内部５６は、第２収容部４４との境界部分に設けられている。抜止縮径案内部５６は、挿入口３０から離れるにつれ窄まる。
【００２６】
溝付き部５４には、スナップリング仮止め溝９２と本体凹み部９４とが設けられている。これらはそれぞれ継手本体２０の中心軸に対して直交する方向に延びている。本体凹み部９４が、スナップリング仮止め溝９２に比べ、挿入口３０から遠い位置に設けられている。スナップリング仮止め溝９２内の奥側溝壁には溝テーパ面９２ａが形成されている。溝テーパ面９２ａは、第２収容部４４の方向へ向かって窄まっている。
【００２７】
第２収容部４４の内周には、シール材２２の外周を取り囲むように耐火パッキン溝９６が設けられている。この耐火パッキン溝９６には耐火パッキン１０４が嵌め込まれている。本実施例において、耐火パッキン１０４は熱膨張性黒鉛入りゴムなどからなる。
【００２８】
第３収容部４８の内奥端にはストッパー部５０が設けられている。ストッパー部５０は、第３収容部４８に比べ、継手本体２０の中心軸方向へ突出している。
【００２９】
図２の（ａ）〜（ｃ）に示すように、本実施例にかかるシール材２２は、係合部６１と、シール作用部６２とを有する。シール材２２の中央には管挿入孔６３が形成されている。管挿入孔６３にはフレキシブル管３００が挿入される。係合部６１は、管挿入孔６３から挿入されたフレキシブル管３００に押されることでシール材２２を継手本体２０の挿入完了位置（本実施例においては第３収容部４８）へ移動させる部分である。シール作用部６２は、胴部６０ａの後端部に外向きに張り出している。シール作用部６２がフレキシブル管３００の谷部３１２にかみ合うことにより、継手本体２０の内周面とフレキシブル管３００の外周面とがシールされる。
【００３０】
係合部６１は、胴部６０ａと、管端受け部６０ｂとを有する。胴部６０ａは筒状である。胴部６０ａの内径はフレキシブル管３００の山部３１０の外径とほぼ同一である。管端受け部６０ｂは、この胴部６０ａの前端部に内向きに張り出している。継手本体２０の中にフレキシブル管３００が挿入されると、管端受け部６０ｂがフレキシブル管３００の先端に突き当たる。
【００３１】
シール材２２の後方側すなわち係合部６１よりも挿入口３０に近い側には、複数の妨害部６４が設けられている。これらの妨害部６４は、円周方向に並ぶように配置される。妨害部６４同士は、所定間隔をおいて離れている。継手本体２０の中にシール材２２が収容されたとき、妨害部６４によって囲まれる空間の直径は、フレキシブル管３００の山部３１０の外径より大きい。妨害部６４は、シール材２２が継手本体２０の挿入完了位置に到達していない手前の位置（本実施例においては、図１に示す位置のこと）に位置していた場合に、押輪２４により押されたとき押輪２４の先方に立ちはだかって、押輪凹み部８４に嵌められたスナップリング２６の本体凹み部９４への嵌り込みを阻止する。
【００３２】
本実施例において、係合部６１と、妨害部６４の一部（後述する介入部７０以外の部分）とは、一体となっている。
【００３３】
本実施例の場合、胴部６０ａと、管端受け部６０ｂと、シール作用部６２と、妨害部６４の一部とは、ゴム製である。これらの素材として用いられるゴムの例には、ＮＢＲ（Acrylonitrile-Butadiene Rubber）、ＳＢＲ（Styrene-butadiene rubber）、ＥＰＤＭ（ethylene propylene rubber）などがある。
【００３４】
管端受け部６０ｂには、黄銅製座金などの補強芯金６０ｆが埋込まれている。管端受け部６０ｂの材質は、胴部６０ａおよびシール作用部６２と同一材料で形成されていてもよいし、異なる材料で形成されていてもよい。
【００３５】
図３に示すように、妨害部６４の先端には、介入部７０が設けられている。介入部７０は、押輪２４により押されたときに押輪２４の先方に立ちはだかる。また、介入部７０は、フレキシブル管３００の谷部３１２にかみ合う。介入部７０は、胴部６０ａおよびシール作用部６２よりも硬い材料で形成される。そのような材料の例として、黄銅などの金属材料や硬質樹脂がある。
【００３６】
介入部７０は、拘束部７０ａと、抜止部７０ｂと、かみ合い凹部７０ｃとを有する。拘束部７０ａは、後述する先端部分８２ａによって抜止縮径案内部５６に押付けられる（このため、抜止縮径案内部５６は、介入部７０を受け止めることとなる）。図１や図５から明らかな通り、拘束部７０ａは、後述する押輪２４の先端面１０６ｂよりも内径が大きい部分を有する。抜止部７０ｂは、挿入口３０側から見たとき、後述する外周テーパ面７１の背面側に配置される。抜止部７０ｂは、第３収容部４８の奥へ係合部６１が押し込まれることに伴って第１収容部４２の中から第２収容部４４の中へ移動する。抜止部７０ｂは、第１収容部４２の中から第２収容部４４の中へ移動することに伴ってフレキシブル管３００の外周に嵌まる。かみ合い凹部７０ｃは、拘束部７０ａと抜止部７０ｂとによって形成される凹み部分である。妨害部６４が第１収容部４２内の妨害位置（スナップリング２６が本体凹み部９４に嵌まることを妨げる位置のこと。本実施例の場合、図５（ａ）に示す位置のこと。）に配置されており、かつ、継手本体２０の中に押輪２４が押し込まれるとき、後述する先端部分８２ａがかみ合い凹部７０ｃに嵌まる。
【００３７】
拘束部７０ａは、外周テーパ面７１を有する。外周テーパ面７１は、第３収容部４８の奥へ胴部６０ａが押し込まれ、かつ、押輪２４が継手本体２０の中に押し込まれると、先端部分８２ａに対向する。外周テーパ面７１は、押輪２４が継手本体２０の中に押し込まれた状態でフレキシブル管３００に引抜力がかかると、押輪２４の先端部のうち後述する反力部８２ｂに接触する。
【００３８】
シール材２２は、フレキシブル管３００の差込み前（初期状態）において、図１に示すように配置される。これにより、初期状態において、管端受け部６０ｂおよび胴部６０ａが第３収容部４８内に位置し、シール作用部６２が第２収容部４４内に位置し、かつ、妨害部６４が第１収容部４２内の妨害位置に位置するように、シール材２２は配置されることとなる。
【００３９】
図４に示すように、押輪２４は、筒部７６ａと鍔部７６ｂとを有する。筒部７６ａと鍔部７６ｂとは一体となっている。筒部７６ａは、継手本体２０の中に挿入される。挿入口３０の中において筒部７６ａは軸方向に移動可能である。筒部７６ａの中を、フレキシブル管３００が挿通可能である。鍔部７６ｂは、この筒部７６ａの入口側後端の外周に設けられている。鍔部７６ｂは、後述する嵌入予定部７７を挟んで継手本体２０に対向している。鍔部７６ｂの外径は、挿入口３０の孔径より大きい。
【００４０】
押輪２４の内部には、被覆層進入部７９ａと、本体連通部７９ｂとが設けられている。被覆層進入部７９ａは、フレキシブル管３００の先端部分が貫通し、かつ、被覆層３１４が進入する。本体連通部７９ｂは、継手本体２０に押輪２４が挿入されたとき被覆層進入部７９ａよりも継手本体２０側に配置される。本体連通部７９ｂのうち被覆層進入部７９ａとの境界部分には、フレキシブル管３００が通り抜ける、被覆層３１４の外径よりも小さくフレキシブル管３００の山部３１０の外径よりも大きな直径の円形開口８７が設けられている。
【００４１】
筒部７６ａは、パッキン溝７８を有する。パッキン溝７８は、筒部７６ａの入口側後端の内周に設けられている。パッキン溝７８は、筒部７６ａの中心軸に対して直交する方向に形成されている。図１に示すように、パッキン溝７８には、防水パッキン８０が嵌め込まれている。防水パッキン８０は、ＥＰＤＭなどで作られている。防水パッキン８０の断面はＴ形状である。防水パッキン８０の円周方向数箇所には、ピン形状の選択透過性部材１００が埋設されている。選択透過性部材１００は、気体を透過するが固体や液体は透過しない。これにより、ガス漏れ検査が可能である。選択透過性部材１００は、例えば、連続多孔質膜を含むシート材、あるいは連続気孔を有する多孔質体である。前者の連続多孔質膜は、四フッ化エチレン樹脂粉体を成形することによって得られる。後者の多孔質体は、ポリエチレン、ポリプロピレン、ポリメチルアクリレートなどの熱可塑性樹脂粉体から成形することによって得られる。
【００４２】
筒部７６ａのうち妨害部６４に対向する部分には、先端部分８２ａが設けられている。後述の説明から明らかなように、先端部分８２ａは、妨害位置に妨害部６４が配置されているとき継手本体２０の中に筒部７６ａが押し込まれると第１収容部４２の内周面に妨害部６４を押付ける。なお、本実施例の場合についてさらに具体的に述べるならば、押付けられた妨害部６４を受け止めるのは、第１収容部４２のうち、抜止縮径案内部５６である。
【００４３】
先端部分８２ａは、傾斜面１０６ａと先端面１０６ｂとを有する。傾斜面１０６ａの形状は先細形である。これにより、傾斜面１０６ａは、筒部７６ａの先端に近付くにつれ窄まることになる。本実施例における傾斜面１０６ａの勾配は、継手本体２０に設けられた抜止縮径案内部５６とほぼ同じである。本実施例の先端面１０６ｂは、筒部７６ａの先端に配置される平面である。もちろん、先端面１０６ｂは曲面その他の面であってもよい。ちなみに、先端面１０６ｂのうち筒部７６ａの中心側の端における内径は、第２収容部４４の内径以上である。
【００４４】
筒部７６ａのうち妨害部６４に対向する先端部分の内周には、反力部８２ｂが設けられている。反力部８２ｂは、挿入口３０の奥に向かって広がる先拡がり状である。
【００４５】
図４に示すように、筒部７６ａのうち継手本体２０の内周に対向する面には押輪凹み部８４が設けられている。押輪凹み部８４は、筒部７６ａの中心軸に対して直交する方向に形成されている。
【００４６】
筒部７６ａのうち押輪凹み部８４より入口側の部分には防水パッキン溝８６が設けられている。この防水パッキン溝８６には防水パッキン１０２が嵌め込まれている。
【００４７】
図１に示すように、嵌入予定部７７には、誤動作防止カラー１１０が嵌め込まれている。嵌入予定部７７とは、押輪２４の筒部７６ａのうち、スナップリング２６の外周がスナップリング仮止め溝９２に嵌め込まれているときには継手本体２０から露出し、かつ、スナップリング２６の外周が本体凹み部９４に嵌め込まれているときには挿入口３０の中に配置される部分のことである。その結果、鍔部７６ｂは、嵌入予定部７７を挟んで継手本体２０に対向していることになる。誤動作防止カラー１１０は、欠縁部を有しており、挿入口３０の内周面と押輪２４の筒部７６ａとの間の隙間よりも大きい厚みを有する。
【００４８】
なお、押輪２４の押込み代であるストローク長さＳ（図５の（ｂ）参照）は、スナップリング仮止め溝９２と本体凹み部９４との間の距離にほぼ等しくなるように設定されている。
【００４９】
次に、上述したフレキシブル管用継手１０にフレキシブル管３００を接続する要領について図５を参照しつつ説明する。
【００５０】
フレキシブル管３００の接続に際しては、先ず、フレキシブル管３００を、押輪２４の入口側から継手本体２０の挿入口３０内に差し込む。なお、このフレキシブル管３００の先端部分の被覆層３１４は、山部３１０が８つ露出するよう、予め剥離されている。ただし、山部３１０をいくつ露出させるかは、継手本体２０の大きさなどに応じて定められるものである。山部３１０をいくつ露出させるかは、本実施例のものに限定されない。
【００５１】
挿入口３０内に差し込まれたフレキシブル管３００は、シール材２２の中を、妨害部６４、シール作用部６２、胴部６０ａの順に通過する。その後、図５（ａ）に示すように、フレキシブル管３００の先端部は、シール材２２の管端受け部６０ｂに突き当たる。その際、シール材２２のシール作用部６２は外向きに張り出す形に形成されているので、フレキシブル管３００の差込み時にそのシール作用部６２が障害になるようなことない。フレキシブル管３００の先端部はシール材２２内にスムーズに挿入できる。
【００５２】
シール材２２の管端受け部６０ｂに突き当たるまでフレキシブル管３００が差込まれると、シール材２２の胴部６０ａは第３収容部４８の奥へ押込まれる。この押込みに伴い、シール材２２のシール作用部６２はシール材縮径案内部４６の窄まり側に移動する。シール作用部６２は、シール材縮径案内部４６に押されて内向きに縮径変形する。シール作用部６２は、シール材縮径案内部４６を通過して第３収容部４８内に引き込まれるや否やフレキシブル管３００の谷部３１２にかみ合う。その際、シール作用部６２は、谷部３１２の斜面３１２ａに密着する。これと同時に妨害部６４が抜止縮径案内部５６の窄まり側に移動する。妨害部６４は、抜止縮径案内部５６によって縮径方向に押されながら第２収容部４４に引き込まれる。これにより、図５の（ｂ）に示すように、フレキシブル管３００の先端部の外周面と継手本体２０の第３収容部４８の内周面との間がシール材２２によって確実に密封シールされる。そこが密封シールされることで、フレキシブル管３００内を流れる流体が継手本体２０から漏れ出るのを防止できる。フレキシブル管３００が少々変形していたとしても、その効果はほとんど低下しない。なお、フレキシブル管３００の先端部とシール材２２の管端受け部６０ｂとの間でもシール機能を期することができる。図５の（ｂ）は、シール材２２の管端受け部６０ｂの内径部およびフレキシブル管３００の先端部の内面が、第３収容部４８の奥のストッパー部５０に突き当たった状況を示す。
【００５３】
フレキシブル管３００の差込み完了後には、誤動作防止カラー１１０を押輪２４から外す。誤動作防止カラー１１０が外れると、押輪２４を押込み代（図５の（ｂ）に示すストローク長さＳのこと）分だけ完全に押込む。この押し込みに伴い、スナップリング２６は、押輪凹み部８４内に内周部が嵌め込まれた状態で、溝テーパ面９２ａに沿ってスナップリング仮止め溝９２から滑り出す。溝テーパ面９２ａに沿って移動するため、スナップリング２６は縮径するよう弾性変形する。そして、押輪２４が完全に押し込まれた時点で、スナップリング２６の外周部が本体凹み部９４に嵌まる。スナップリング２６の外周部が本体凹み部９４に嵌まる時、それまで縮径していたスナップリング２６は拡径する。これにより、押輪２４の位置を固定できる。図５の（ｃ）は、押輪２４が完全に押し込まれた状態を示す。押輪２４の先端部は、妨害部６４の後側に位置する完全な押込み位置に保持される。このとき、図５の（ｃ）から明らかなように、シール材２２によるシール状態は確保される。
【００５４】
また、押輪２４の完全な押込みに伴い、押輪２４の先端部の反力部８２ｂが妨害部６４の外周テーパ面７１に近接し、かつ、対向する。この後、フレキシブル管３００に対して継手本体２０から引き抜く方向に引抜力がかかると、外周テーパ面７１は、挿入口３０の方向に少し移動して、反力部８２ｂに接触する。外周テーパ面７１は、反力部８２ｂに接触すると、反力部８２ｂから反力を受ける。外周テーパ面７１が反力部８２ｂから反力を受けると、抜止部７０ｂは、フレキシブル管３００の谷部３１２の底の方へ移動する。外周テーパ面７１が反力部８２ｂから反力を受け、かつ、抜止部７０ｂがフレキシブル管３００にその反力を伝達することで、フレキシブル管３００の抜け出しは阻止される。
【００５５】
次に、露出部分の長さが不足するフレキシブル管３００が挿入された場合における、フレキシブル管用継手１０の動作を、図６を参照しつつ説明する。
【００５６】
継手本体２０の中にフレキシブル管３００が挿入されると、そのフレキシブル管３００は、シール材２２の中を、妨害部６４、シール作用部６２、胴部６０ａの順に通過する。その後、図６（ａ）に示すように、フレキシブル管３００の先端部は、シール材２２の管端受け部６０ｂに突き当たる。
【００５７】
シール材２２の管端受け部６０ｂに当接するまでフレキシブル管３００が差込まれると、シール材２２の胴部６０ａは第３収容部４８の奥へ押込まれる。この押込みに伴い、シール材２２のシール作用部６２はシール材縮径案内部４６の窄まり側に移動する。これと同時に妨害部６４が抜止縮径案内部５６の窄まり側に移動する。ただし、フレキシブル管３００の被覆層３１４が押輪２４の突き当て部８８に突き当たるので、図６の（ｂ）に示すように、妨害部６４の一部は第２収容部４４内へ引き込まれない。
【００５８】
被覆層３１４が突き当て部８８に突き当たると、誤動作防止カラー１１０が押輪２４から外される。誤動作防止カラー１１０が外れると、押輪２４が継手本体２０に押し込まれる。この押し込みに伴い、押輪２４の先端部分８２ａは、継手本体２０の奥へ進む。継手本体２０の奥へ進んだ先端部分８２ａは、拘束部７０ａを抜止縮径案内部５６に押付ける。拘束部７０ａを抜止縮径案内部５６に押付けることで、押輪２４は拘束部７０ａから反力を受ける。反力を受けるので、図６の（ｃ）に示すように、押輪２４は、継手本体２０の奥へ進めない。
【００５９】
なお、フレキシブル管３００を継手本体２０に挿入せずに押輪２４を押込んだ場合、介入部７０は、押輪２４の先方に立ちはだかる。押輪２４の先端部分８２ａは、介入部７０のかみ合い凹部７０ｃに嵌まる。先端部分８２ａがかみ合い凹部７０ｃに嵌まることで、介入部７０の拘束部７０ａが第１収容部４２の内周面に押付けられる。第１収容部４２の内周面は、介入部７０の拘束部７０ａを受け止める。これにより、フレキシブル管３００が継手本体２０に挿入されていないにも関わらず押輪２４が継手本体２０の中に押込まれる事態は避けられる。
【００６０】
以上のようにして、本実施形態にかかるフレキシブル管用継手１０において、突き当て部８８には、被覆層３１４の先端が突き当てられる。第３収容部４８の奥へ胴部６０ａを押し込むのは、フレキシブル管３００の先端部分となる。これにより、フレキシブル管３００の露出した部分が短いと、第３収容部４８の奥へ胴部６０ａを押し込むことができなくなる。胴部６０ａを押し込むことができなくなるので、フレキシブル管３００の露出した部分の長さが不足することが原因となってフレキシブル管３００の外周がシールされなくなる事態は回避される。
【００６１】
今回開示された実施例はすべての点で例示である。本発明の範囲は上述した実施例に基づいて制限されるものではなく、本発明の趣旨を逸脱しない範囲で種々の設計変更をしてもよいのはもちろんである。
【００６２】
たとえば、本発明は、継手本体２０の一端に挿入口３０が形成され、継手本体２０の他端の外周に接続用雄ねじ３２が形成された雄ねじフレキシブル管用継手に限られない。本発明は、他の構造、例えば、両端に受口部を有する左右対称のソケット形のフレキシブル管用継手や、エルボ型のフレキシブル管用継手などにも適用できることは勿論である。
【００６３】
また、本発明において、胴部６０ａの内径がフレキシブル管３００の外径以下ならば、管端受け部６０ｂおよび補強芯金６０ｆは必ずしも必要なものではない。胴部６０ａとフレキシブル管３００との間に作用する摩擦力によってシール材２２がフレキシブル管３００に係合するためである。シール材２２がフレキシブル管３００に係合することで、継手本体２０の第２収容部４４の中にシール材２２は引き込まれていく。
【００６４】
また、シール材２２は、複数のシール作用部６２を有していてもよい。この場合、それらのシール作用部６２は、シール材２２の中心軸に沿って並ぶことが望ましい。さらに、それらのシール作用部６２の間隔は、フレキシブル管３００の山部３１０や谷部３１２の間隔に比例することが好ましい。それらの間隔は、山部３１０や谷部３１２の間隔より小さくても良い。シール作用部６２同士の間隔は、フレキシブル管３００の谷部３１２にかみ合う際、弾性変形によって広がり得るためである。
【００６５】
また、スナップリング２６が本体凹み部９４に嵌まることは、先端部分８２ａが第１収容部４２の内周に拘束部７０ａを押付ける以外の仕組みによって妨げられてもよい。たとえば、スナップリング２６が本体凹み部９４に嵌まることは、第２収容部４４の内周面に妨害部６４の一部が押付けられて押輪２４に反力を与えることで妨げられてもよい。継手本体２０の構造が上述したものと異なる場合には、継手本体２０ののうち第１収容部４２や第２収容部４４以外の部分が妨害部６４を受け止めてもよい。
【００６６】
また、第１収容部４２が抜止縮径案内部５６を有していない場合、先端部分８２ａは、筒部７６ａの先端に近付くにつれ窄まる面を有していなくともよい。
【符号の説明】
【００６７】
１０  フレキシブル管用継手
２０，２５０       継手本体
２２  シール材
２４，２５４       押輪
２６，２５８       スナップリング
３０  挿入口
３２  接続用雄ねじ
４２  第１収容部
４４  第２収容部
４６  シール材縮径案内部
４８  第３収容部
５０  ストッパー部
５４  溝付き部
５６  抜止縮径案内部
６０ａ      胴部
６０ｂ      管端受け部
６０ｆ      補強芯金
６１  係合部
６２  シール作用部
６３  管挿入孔
６４  妨害部
７０  介入部
７０ａ      拘束部
７０ｂ      抜止部
７０ｃ      かみ合い凹部
７１  外周テーパ面
７６ａ      筒部
７６ｂ      鍔部
７７  嵌入予定部
７８  パッキン溝
７９ａ      被覆層進入部
７９ｂ      本体連通部
８０  防水パッキン
８２ａ      先端部分
８２ｂ      反力部
８４  押輪凹み部
８６  防水パッキン溝
８７  円形開口
８８  突き当て部
９２  スナップリング仮止め溝
９２ａ      溝テーパ面
９４  本体凹み部
９６  耐火パッキン溝
１００      選択透過性部材
１０２，２５６     防水パッキン
１０４      耐火パッキン
１０６ａ    傾斜面
１０６ｂ    先端面
１１０      誤動作防止カラー
２５２      リテーナ部材
２５２ａ    後方突起
２６０      第１溝
２６２      第２溝
２６４      第３溝
２７０      拡張段部
２８０      分解用リング部材
３００      フレキシブル管
３１０      山部
３１２ａ    斜面
３１２      谷部
３１４      被覆層
【図１】
0005514931.tif 000002
【図２】
0005514931.tif 000003
【図３】
0005514931.tif 000004
【図４】
0005514931.tif 000005
【図５】
0005514931.tif 000006
【図６】
0005514931.tif 000007
【図７】
0005514931.tif 000008